(57)【要約】【課題】軽量かつ意匠性が高いルーバー構造を得る。【解決手段】第１の採光ルーバーフェンス２０は、上枠２１０と、下枠２２０と、右側カバー１３０と、左側カバー１４０と、支持体を成す第１の中骨２６０ａ、第２の中骨２７０、及び第３の中骨２６０ｂと、第１のパネル材２８０と、第２のパネル材２９０とを主に備える。上枠２１０、下枠２２０、右側カバー１３０、左側カバー１４０、第１の中骨２６０ａ、第２の中骨２７０、及び第３の中骨２６０ｂは、例えばアルミ押出材等の軽金属から成り、第１のパネル材２８０及び第２のパネル材２９０は例えばポリカーボネート等の樹脂から成り、ルーバーを形成する。【選択図】図１
2020002619.tif 000002
【特許請求の範囲】
【請求項１】
第１の方向に沿って延びる第１の固定端及び第２の固定端を備え、前記第１の方向と交わる第２の方向に沿って延びるルーバーと、
前記第２の方向と交わる第３の方向に沿って延びる支持体と、
前記支持体の側面に設けられ、前記第１の方向に沿って対向するように開く少なくとも２つの開口を前記支持体の側面との間に形成する保持部材とを備え、
前記第１の固定端と前記第２の固定端は、少なくとも一部が前記支持体の側面に接触し、かつ前記２つの開口に各々保持されて、前記第２及び前記第３の方向と交わる方向への移動を制限される
ルーバー構造。
【請求項２】
前記第２の固定端は、前記支持体の側面に対して所定の角度を成し、前記第１の固定端の端部は、前記第２及び前記第３の方向と交わる方向へ突出する突出端を有する請求項１に記載のルーバー構造。
【請求項３】
前記保持部材は、前記支持体の側面に取り付けられる取付部と、前記支持体の側面から所定の間隔を開けて前記取付部から前記第１の方向に延びる係合部とを備え、前記支持体の側面と前記係合部との間に前記開口が形成され、
前記第１の固定端の端部は、前記第２及び前記第３の方向と交わる方向へ突出して前記係合部と係合する突出端を有する
請求項１に記載のルーバー構造。
【請求項４】
前記第１の固定端は前記第１の方向の正方向に延び、前記第２の固定端は前記第１の方向の負方向に延び、
前記保持部材は、前記支持体の側面に取り付けられる取付部と、前記支持体の側面から所定の間隔を開けて前記取付部から前記第１の方向の正方向に延びる正方向係合部と、前記支持体の側面から所定の間隔を開けて前記取付部から前記第１の方向の負方向に延びる負方向係合部とをさらに備え、前記支持体の側面と前記正方向係合部との間に正方向開口が形成され、前記支持体の側面と前記負方向係合部との間に負方向開口が形成される
請求項１に記載のルーバー構造。
【請求項５】
前記第２の固定端は、前記支持体の側面に対して所定の角度を成し、
前記ルーバーは板状部材であって、前記第２の固定端は、前記板状部材において、前記支持体と対向する側面から突出する請求項１から４のいずれかに記載のルーバー構造。
【請求項６】
前記第２の方向に沿って所定の間隔を開けて並べられる複数の前記支持体を備える請求項１から５のいずれかに記載のルーバー構造。
【請求項７】
前記ルーバーは板状部材であって、前記板状部材において前記第２の方向に沿って延びる端部を前記支持体の側面に固定する固定部材をさらに備え、前記固定部材は、前記ルーバーの面外方向に対する移動を規制する請求項１から６のいずれかに記載のルーバー構造。
【請求項８】
前記固定部材は、雄ねじが切られたねじ部と雄ねじが切られていない大径部とを備える段付きビスであって、前記大径部の軸方向長さは、前記ルーバーの厚さよりも長い請求項７に記載のルーバー構造。
【請求項９】
前記第１の固定端又は前記第２の固定端と前記保持部材との間に設けられる弾性体をさらに備える請求項１から８のいずれかに記載のルーバー構造。
【発明の詳細な説明】
【技術分野】
【０００１】
本発明は、ルーバーを保持する構造に関する。
【背景技術】
【０００２】
従来、樹脂製格子材の中空部に金属製芯材を挿入してルーバーを構成し、金属製芯材と支柱とをビス止めすることにより、樹脂製格子材を長手方向に移動可能となるように支柱に固定するルーバー構造が知られている（特許文献１）。
【先行技術文献】
【特許文献】
【０００３】
【特許文献１】特開２０１２−１７２４８１号公報
【発明の概要】
【発明が解決しようとする課題】
【０００４】
しかし、透明な樹脂製格子材に金属製芯材を挿入すると、金属製芯材が透けて視認されてルーバーの意匠性が低下する可能性がある。また、金属製芯材によりルーバーの重量が増加するという可能性もある。
【０００５】
本発明はこれらの課題に鑑みてなされたものであり、軽量かつ意匠性が高いルーバー構造を得ることを目的とする。
【課題を解決するための手段】
【０００６】
本願発明によるルーバー構造は、第１の方向に沿って延びる第１の固定端及び第２の固定端を備え、第１の方向と交わる第２の方向に沿って延びるルーバーと、第２の方向と交わる第３の方向に沿って延びる支持体と、支持体の側面に設けられ、第１の方向に沿って対向するように開く少なくとも２つの開口を支持体の側面との間に形成する保持部材とを備え、第１の固定端と第２の固定端は、少なくとも一部が支持体の側面に接触し、かつ２つの開口に各々保持されて、第２の方向及び第３の方向と交わる方向への移動を制限されることを特徴とする。
【発明の効果】
【０００７】
本発明によれば、軽量かつ意匠性が高いルーバー構造が提供される。
【図面の簡単な説明】
【０００８】
【図１】第１の実施形態によるルーバー構造の正面図である。
【図２】図１のＩＩａ−ＩＩａ線及びＩＩｂ−ＩＩｂ線におけるルーバー構造の断面図である。
【図３】図１のＩＩＩ−ＩＩＩ線におけるルーバー構造の断面図である。
【図４】ルーバーを中骨に取り付ける手順を示した図である。
【図５】第２の実施形態による、図１のＩＩＩ−ＩＩＩ線におけるルーバー構造の断面図である。
【図６】第３の実施形態によるルーバー構造の正面図である。
【図７】図６のＶＩＩａ−ＶＩＩａ線及びＶＩＩｂ−ＶＩＩｂ線における第３の実施形態によるルーバー構造の断面図である。
【図８】図６のＶＩＩＩ−ＶＩＩＩ線における第３の実施形態によるルーバー構造の断面図である。
【図９】第３の実施形態によるルーバーを中骨に取り付ける手順を示した図である。
【発明を実施するための形態】
【０００９】
本発明の第１の実施形態による第１のルーバー構造について図１から４を用いて説明する。第１のルーバー構造は、第１の採光ルーバーフェンス２０の一部として用いられる。以下、第１の採光ルーバーフェンス２０の一部として用いられている状態において鉛直方向に沿う長さを高さ、第１の採光ルーバーフェンス２０の壁面と平行かつ水平方向に沿う長さを幅、第１の採光ルーバーフェンス２０の壁面と直角かつ水平方向に沿う長さを厚さという。なお、鉛直方向が第３の方向に対応し、第１の採光ルーバーフェンス２０の壁面と平行かつ水平である方向が第２の方向に対応する。
【００１０】
図１から３を参照すると、第１の採光ルーバーフェンス２０は、上枠２１０と、下枠２２０と、右側カバー１３０と、左側カバー１４０と、支持体を成す第１の中骨２６０ａ、第２の中骨２７０、及び第３の中骨２６０ｂと、第１のパネル材２８０と、第２のパネル材２９０と、保持部材を成す押さえ金具２７２とを主に備える。上枠２１０、下枠２２０、右側カバー１３０、左側カバー１４０、第１の中骨２６０ａ、第２の中骨２７０、及び第３の中骨２６０ｂは、例えばアルミ押出材等の軽金属から成り、第１のパネル材２８０及び第２のパネル材２９０は例えばポリカーボネート等の樹脂から成り、ルーバーを形成する。
【００１１】
上枠２１０は、略矩形の鉛直断面を有する管状部材であって水平方向に延びる上枠管状部材２１１と、上枠管状部材２１１の外側底面から重力下方に向けて突出する上枠板状部材２１２及び第２のパネル受け部２１３とを主に備える。
【００１２】
下枠２２０は、略矩形の鉛直断面を有する管状部材であって水平方向に延びる下枠管状部材２２１と、下枠管状部材２２１の外側頂面から重力上方に向けて突出する板状部材であって、下枠管状部材２２１の全長に渡って延びる下枠板状部材２２２とを主に備える。
【００１３】
右側カバー１３０は、全長に渡ってＬ字型の水平断面を有する長手部材であって、Ｌ字型断面の２辺のうち、１辺は第１の採光ルーバーフェンス２０の右側面を覆う右側カバー側面１３１を成し、１辺は第１の採光ルーバーフェンス２０の正面に延びる右側カバー正面１３２を成す。
【００１４】
左側カバー１４０は、第１の採光ルーバーフェンス２０を水平方向に二等分する平面に対して右側カバー１３０と対称な形状であって、左側カバー１４０におけるＬ字型断面の２辺のうち、１辺は第１の採光ルーバーフェンス２０の左側面を覆う左側カバー側面１４１を成し、１辺は第１の採光ルーバーフェンス２０の正面に延びる左側カバー正面１４２を成す。
【００１５】
下枠板状部材２２２の鉛直上方端部には、所定の長さだけ正面側にシフトして設けられる上方フランジ２２２ｂが設けられる。上方フランジ２２２ｂにおける鉛直上方の端部は、背面側に向けて突出する上方フランジ端部２２２ｄを備える。下枠板状部材２２２は、ビス１７４を用いて第２の中骨２７０の正面側側面に取り付けられ、これにより、下枠２２０が第２の中骨２７０に取り付けられる。この状態において、上方フランジ２２２ｂと第２の中骨２７０の正面側側面との間には、所定の間隔が開けられる。上方フランジ２２２ｂと第２の中骨２７０の正面側側面との間に形成される空間は、鉛直上方に向けて開口する。
【００１６】
図３を参照すると、上枠板状部材２１２は、Ｌ字型の鉛直断面を有し、上枠管状部材２１１の外側底面から重力下方に向けて突出する固定板２１２ａと、固定板２１２ａの突出端から正面側に向けて直角に突出する底端パネル受け部２１２ｂとを備える。底端パネル受け部２１２ｂの突出端には、鉛直上方に突出する底端突出部２１２ｃが設けられる。上枠板状部材２１２及び第２のパネル受け部２１３は、上枠管状部材２１１の長手方向全長に渡って延びる。
【００１７】
第１の中骨２６０ａ、第２の中骨２７０、及び第３の中骨２６０ｂは、略矩形の水平断面を有する。第２の中骨２７０の幅は、第１の中骨２６０ａ及び第３の中骨２６０ｂの幅よりも長く、各々の見込方向長さは同じである。
【００１８】
第２の中骨２７０の正面側側面には、押さえ金具２７２がビス２８３を用いて取り付けられる。図３を参照すると、押さえ金具２７２は、背面側に位置する押さえ金具背面部２７２ａと、正面側上方に位置する上方フランジ２７２ｂと、正面側下方に位置する下方フランジ２７２ｃとを主に備える。押さえ金具２７２のうち、金具背面部２７２ａが取付部を成し、上方フランジ２７２ｂが正方向係合部を成し、下方フランジ２７２ｃが負方向係合部を成す。ここで、鉛直方向が第１の方向を成し、鉛直上方が第１の方向における正方向であり、鉛直下方が第１の方向における負方向である。
【００１９】
上方フランジ２７２ｂ及び下方フランジ２７２ｃは、押さえ金具背面部２７２ａの上端及び下端から正面側に向けて直角に延びる部位を介して、押さえ金具背面部２７２ａに接続される。上方フランジ２７２ｂにおける鉛直上方の端部は、背面側に向けて突出する上方フランジ端部２７２ｄを備える。下方フランジ２７２ｃにおける鉛直下方の端部は、背面側に向けて突出する下方フランジ端部２７２ｅを備える。押さえ金具背面部２７２ａは、ビス２８３を用いて第２の中骨２７０の正面側側面に取り付けられ、これにより、押さえ金具２７２が第２の中骨２７０に取り付けられる。この状態において、上方フランジ２７２ｂ及び下方フランジ２７２ｃと第２の中骨２７０の正面側側面との間には、所定の間隔が各々開けられる。上方フランジ２７２ｂと第２の中骨２７０の正面側側面との間に形成される空間は、鉛直上方に向けて開口して正方向開口を形成し、下方フランジ２７２ｃと第２の中骨２７０の正面側側面との間に形成される空間は、鉛直下方に向けて開口して負方向開口を形成する。
【００２０】
鉛直方向上方に設けられる押さえ金具２７２において、下方フランジ２７２ｃと第２の中骨２７０の正面側側面との間に形成される負方向開口と、鉛直方向下方に設けられる押さえ金具２７２において、上方フランジ２７２ｂと第２の中骨２７０の正面側側面との間に形成される正方向開口とは、互いに鉛直方向に沿って対向するように開口する。このとき、鉛直方向が第１の方向を成す。
【００２１】
図３を参照すると、第１のパネル材２８０は、頂端に設けられる上部接続部２８１と、正面側に突出する山部２８０ａと、背面側に突出する谷部２８０ｂと、山部２８０ａの背面側から突出する下部接続部２８２を有する。山部２８０ａは、第１のパネル材２８０の底端側に位置し、平坦面を成す。谷部２８０ｂは、第１のパネル材２８０の頂端側に位置し、図３に示される鉛直断面に於いて、わずかに正面側に対して突出するように湾曲する。上部接続部２８１は、第１の方向の正方向に延びる第１の固定端を成し、図３の鉛直断面において中央が正面側に突出するように湾曲して、その頂端が正面側及び背面側に向けてわずかに突出し、下端が背面側に向けてわずかに突出する。頂端のうち、正面側に突出する部位が正面上側突出端２８１ｂを成し、背面側に突出する部位が背面上側突出端２８１aを成す。下端のうち、背面側に突出する部位が背面下側突出端２８０ｂを成す。下部接続部２８２は、図３の鉛直断面において山部２８０ａと所定の角度を成して背面側に設けられる下部係合部２８２ａを備える。下部係合部２８２ａは、第１の方向の負方向に延びる第２の固定端を成し、下部係合部２８２ａの正面から突出する係合凸部２８２ｂと、背面側にむけてわずかに突出する下部凸部２８２ｃとを備える。第１のパネル材２８０は、図３に記載の鉛直断面形状と同様の形状を長手方向全長に渡って有する。
【００２２】
第２のパネル材２９０は、第１の採光ルーバーフェンス２０の幅方向に走る板状の第２の正面部材２９１と、第２の正面部材２９１の背面から直角に突出する第１の係合板２９２及び第２の係合板２９３とを備える。第１の係合板２９２の突出端部付近には、鉛直上方に突出する第１の返し２９２ａが設けられ、第２の係合板２９３の突出端部付近には、鉛直下方に突出する第２の返し２９３ａが設けられる。
【００２３】
上枠２１０、第１のパネル材２８０、及び第２のパネル材２９０は、第１の採光ルーバーフェンス２０の幅方向全長に渡って延び、第１の中骨２６０ａ、第２の中骨２７０、及び第３の中骨２６０ｂは、第１の採光ルーバーフェンス２０の高さ方向全長に渡って延びる。
【００２４】
固定板２１２ａは、第１の中骨２６０ａ、第２の中骨２７０、及び第３の中骨２６０ｂの頂端付近にビス１７３ｅを用いて固定され、これにより、上枠２１０が第１の中骨２６０ａ、第２の中骨２７０、及び第３の中骨２６０ｂに固定される。下枠板状部材２２２は、第１の中骨２６０ａ及び第３の中骨２６０ｂの底端付近にビス１７４を用いて固定され、これにより、下枠２２０が第１の中骨２６０ａ及び第３の中骨２６０ｂに固定される。
【００２５】
図３を用いて、第１のパネル材２８０が第２の中骨２７０に固定された状態について説明する。
【００２６】
下部接続部２８２と押さえ金具２７２との係合状態について説明すると、上方フランジ端部２７２ｄが下部係合部２８２ａと係合し、係合凸部２８２ｂが上方フランジ２７２ｂと係合し、下部凸部２８２ｃが第２の中骨２７０の正面側側面と係合する。下部接続部２８２が第２の中骨２７０及び押さえ金具２７２と３点で係合することにより、見込方向に対する第１のパネル材２８０の動きが規制される。また、何らかの要因により、下部接続部２８２が鉛直上方に移動したとしても、係合凸部２８２ｂが上方フランジ端部２７２ｄと係合して、下部接続部２８２が押さえ金具２７２から外れることがない。
【００２７】
上部係合部２８１と押さえ金具２７２との係合状態について説明すると、正面上側突出端２８１ｂが下方フランジ２７２ｃと係合し、上部接続部２８１のうち正面側に対して突出する面が下方フランジ端部２７２ｅと係合し、背面上側突出端２８１ａ及び背面下側突出端２８０ｂが第２の中骨２７０の正面側側面と係合する。上部接続部２８１が第２の中骨２７０及び押さえ金具２７２と４点で係合することにより、見込方向に対する第１のパネル材２８０の動きが規制される。また、何らかの要因により、上部接続部２８１が鉛直下方に移動したとしても、正面上側突出端２８１ｂが下方フランジ端部２７２ｅと係合して、上部接続部２８１が押さえ金具２７２から外れることがない。さらに、押さえ金具２７２と上部接続部２８１の頂面との鉛直方向に対する距離を適切に狭く取ることにより、第１のパネル材２８０の鉛直上方に対する移動を制限する。
【００２８】
また、図２を参照すると、複数の第２の中骨２７０は、互いに水平方向に対して所定の間隔を空けて、また第２の中骨２６０ａ及び第３の中骨２６０ｂとの間に所定の間隔を開けて、上枠２１０及び下枠２２０に固定される。幅１９７０ｍｍの第１の採光ルーバーフェンス１０において、第２の中骨２７０は、例えば３本設けられる。
【００２９】
右側カバー側面１３１は、第１の中骨２６０ａの右側面に、鉛直方向に所定の間隔を開けて設けられる複数のビス１３３を用いて固定され、これにより、右側カバー１３０が第１の中骨２６０ａに固定される。同様に、左側カバー側面１４１は、第２の中骨２６０ｂの左側面に、鉛直方向に所定の間隔を開けて設けられる複数のビス１４３を用いて固定され、これにより、左側カバー１４０が第２の中骨２６０ｂに固定される。
【００３０】
次に、図４を用いて、第１のパネル材２８０を第２の中骨２７０に固定する手法について説明する。
【００３１】
まず、（ａ）を参照すると、第１のパネル材２８０を鉛直方向に対して傾け、下部係合部２８２ａを、第２の中骨２７０の正面側から第２の上方受け部２７２ｂと第２の中骨２７０との間に挿入する。前述のように、鉛直断面において下部係合部２８２ａは山部２８０ａに対して所定の角度を成す。また、上方フランジ端部２７２ｄと第２の中骨２７０の正面側側面との間には、所定の間隔が開けられている。これらの構成により、挿入時において、第１のパネル材２８０を鉛直方向に対して所定の角度傾ければ、係合凸部２８２ｂは、上方フランジ端部２７２ｄと接触せず、上方フランジ端部２７２ｄとの間に間隔を開けて挿入される。
【００３２】
次に、（ｂ）を参照すると、下部係合部２８２ａを、第２の中骨２７０の正面側から第２の上方受け部２７２ｂと第２の中骨２７０との間に十分に挿入した後、第１のパネル材２８０の頂部を第２の中骨２７０に押し当てる。
【００３３】
次に、（ｃ）を参照すると、第２の中骨２７０の正面側側面にビス２８３を用いて押さえ金具２７２を取り付け、これにより、第１のパネル材２８０を湾曲させずに、第１のパネル材２８０を鉛直方向に対して所定の角度傾けるのみで、第１のパネル材２８０を第２の中骨２７０に固定できる。この状態において、山部２８０ａ及び上部接続部２８１は第２の中骨２７０の正面側側面と実質的に略平行であり、下部係合部２８２ａは第２の中骨２７０の正面側側面に対して所定の角度を成す。
【００３４】
これらの作業を複数の第１のパネル材２８０に対して行うことにより、複数の第１のパネル材２８０が、第１の中骨２６０ａ、第２の中骨２７０、及び第３の中骨２６０ｂに固定される。
【００３５】
第１のパネル材１８０及び第２のパネル材１９０は、芯材を備えないことにより、外部から芯材が透けて見えることがないため意匠性が低下せず、かつ軽量である。また、第２の中骨１７０を所定の間隔で設けることにより、第１のパネル材１８０及び第２のパネル材１９０のたわみを防ぐことができる。すなわち、本実施形態によれば、軽量かつ意匠性が高いルーバー構造を得る。また、第１の中骨２６０ａ、第２の中骨２７０、及び第３の中骨２６０ｂの形状が単純な矩形断面を有する管状であるため、これらの部材を容易に形成できる。
【００３６】
また、第１のパネル材２８０は、押さえ金具２７２によって、見込方向に対する移動を規制されているのみであって、鉛直方向に対して移動可能である。そのため、第１のパネル材２８０が熱等の理由により伸縮しても、第１のパネル材２８０に割れ、曲がり、歪みが発生しない。第１のパネル材２８０は、押さえ金具２７２のみによって固定可能であって、ネジ等を用いて固定する必要がない。そのため、第１のパネル材２８０にねじ穴等を設ける加工を施す必要がない。
【００３７】
次に、図５を用いて、第２の実施形態による第２のルーバー構造を備える第２の採光ルーバーフェンス３０について説明する。第１の実施形態と同様の構成については、同じ符号を付して説明を省略する。
【００３８】
第２の採光ルーバーフェンス３０は、上枠２１０と、下枠２２０と、右側カバー１３０と、左側カバー１４０と、支持体を成す第１の中骨２６０ａ、第２の中骨２７０、及び第３の中骨２６０ｂと、第１のパネル材２８０と、第２のパネル材２９０と、保持部材を成す押さえ金具３７２とを主に備える。第２の採光ルーバーフェンス３０は、押さえ金具３７２に関する構成において、第１の採光ルーバーフェンス２０と異なる。以下、主に押さえ金具３７２について説明する。
【００３９】
第２の中骨２７０の正面側側面には、押さえ金具３７２がビス２８３を用いて取り付けられる。図５を参照すると、押さえ金具３７２は、背面側に位置する押さえ金具背面部３７２ａと、正面側上方に位置する上方フランジ３７２ｂと、正面側下方に位置する下方フランジ３７２ｃとを主に備える。押さえ金具３７２のうち、金具背面部３７２ａが取付部を成し、上方フランジ３７２ｂ及び下方フランジ３７２ｃが係合部を成す。
【００４０】
上方フランジ３７２ｂ及び下方フランジ３７２ｃは、押さえ金具背面部３７２ａの上端及び下端から正面側に向けて直角に延びる部位を介して、押さえ金具背面部３７２ａに接続される。上方フランジ３７２ｂにおける鉛直上方の端部は、背面側に向けて突出する上方フランジ端部３７２ｄを備える。下方フランジ３７２ｃにおける鉛直下方の端部は、背面側に向けて突出する下方フランジ端部３７２ｅを備える。押さえ金具背面部３７２ａは、ビス２８３を用いて第２の中骨２７０の正面側側面に取り付けられ、これにより、押さえ金具３７２が第２の中骨２７０に取り付けられる。この状態において、上方フランジ３７２ｂ及び下方フランジ３７２ｃと第２の中骨２７０の正面側側面との間には、所定の間隔が開けられる。上方フランジ３７２ｂと第２の中骨２７０の正面側側面との間に形成される空間は、鉛直上方に向けて開口し、下方フランジ３７２ｃと第２の中骨２７０の正面側側面との間に形成される空間は、鉛直下方に向けて開口する。このとき、鉛直方向が第１の方向を成す。
【００４１】
上方フランジ３７２ｂの背面側側面に、弾性体であるウレタンスポンジ３８５が取り付けられる。ウレタンスポンジ３８５の厚さ、すなわち見込方向長さは、上方フランジ３７２ｂと第２の中骨２７０の正面側側面との距離の約１／２である。
【００４２】
第１のパネル材２８０が第２の中骨２７０に固定された状態について説明する。下部接続部２８２と押さえ金具３７２との係合状態について説明すると、下部係合部２８２ａの正面側側面がウレタンスポンジ３８５と係合し、下部凸部２８２ｃが第２の中骨２７０の正面側側面と係合する。すなわち、下部接続部２８２と押さえ金具３７２とは、ウレタンスポンジ３８５を介して係合する。これにより、下部接続部２８２と押さえ金具３７２との間で音鳴りが生じない。また、見込方向に対する第１のパネル材２８０の動きを規制することができる。上部接続部２８１と押さえ金具３７２との係合状態は、第１の採光ルーバーフェンス２０と同様であるため、説明を省略する。
【００４３】
第１のパネル材２８０を第２の中骨２７０に固定する手法については、第２の中骨２７０の正面側からウレタンスポンジ３８５と第２の中骨２７０との間に下部係合部２８２ａを挿入する点においてのみ、第１の採光ルーバーフェンス２０と異なる。よって、説明を省略する。
【００４４】
本実施形態によれば、第１の実施形態と同様の効果を得る。
【００４５】
本発明の第３の実施形態による第３のルーバー構造について図６から図９を用いて説明する。第３のルーバー構造は、第３の採光ルーバーフェンス１０の一部として用いられる。
第１及び第２の実施形態と同様の構成については、同じ符号を付して説明を省略する。
【００４６】
図６から８を参照すると、第３の採光ルーバーフェンス１０は、上枠１１０と、下枠１２０と、右側カバー１３０と、左側カバー１４０と、支持体を成す第１の中骨１６０ａ、第２の中骨１７０、及び第３の中骨１６０ｂと、第１のパネル材１８０と、第２のパネル材１９０とを主に備える。上枠１１０、下枠１２０、右側カバー１３０、左側カバー１４０、第１の中骨１６０ａ、第２の中骨１７０、及び第３の中骨１６０ｂは、例えばアルミ押出材等の軽金属から成り、第１のパネル材１８０及び第２のパネル材１９０は例えばポリカーボネート等の樹脂から成り、ルーバーを形成する。
【００４７】
上枠１１０は、略矩形の鉛直断面を有する管状部材であって水平方向に延びる上枠管状部材１１１と、上枠管状部材１１１の外側底面から重力下方に向けて突出する板状部材であって、上枠管状部材１１１の長手方向全長に渡って延びる上枠板状部材１１２とを主に備える。
【００４８】
下枠１２０は、略矩形の鉛直断面を有する管状部材であって水平方向に延びる下枠管状部材１２１と、下枠管状部材１２１の外側頂面から重力上方に向けて突出する板状部材であって、下枠管状部材１２１の全長に渡って延びる下枠板状部材１２２とを主に備える。
【００４９】
第１の中骨１６０ａは、略矩形の水平断面を有する第１の中骨管状部材１６１ａと、第１の中骨管状部材１６１ａの正面から直角に突出する第１の正面板状部材１６２ａとを主に備える。第３の中骨１６０ｂは、第３の採光ルーバーフェンス１０を水平方向に二等分する平面に対して第１の中骨１６０ａと対称な形状であって、第３の中骨管状部材１６１ｂと第３の正面板状部材１６２ｂとを主に備える。
【００５０】
第２の中骨１７０は、略矩形の水平断面を有する第２の中骨管状部材１７１と、第２の中骨管状部材１７１の正面から直角に突出する第２の正面板状部材１７２とを主に備える。図８を参照すると、第２の正面板状部材１７２は鉛直断面においてトの字型を成す保持部材であって、鉛直上方に突出する第２の下方受け部１７２ａと、鉛直下方に突出する第２の上方受け部１７２ｂとを備える。第２の正面板状部材１７２のうち、第２の中骨管状部材１７１の側面に取り付けられる部位が取付部を成し、第２の下方受け部１７２ａ及び第２の上方受け部１７２ｂが係合部を成す。
【００５１】
第２の下方受け部１７２ａ及び第２の上方受け部１７２ｂは、第２の中骨管状部材１７１の正面側側面との間に所定の間隔を開ける。第２の下方受け部１７２ａと第２の中骨管状部材１７１の正面側側面との間に形成される空間は、鉛直上方に向けて開口し、第２の上方受け部１７２ｂと第２の中骨管状部材１７１の正面側側面との間に形成される空間は、鉛直下方に向けて開口する。第２の中骨管状部材１７１の幅は、第１の中骨管状部材１６１ａ及び第３の中骨管状部材１６１ｂの幅よりも長く、各々の見込方向長さは同じである。第１の正面板状部材１６２ａと第３の正面板状部材１６２ｂもまた、第２の正面板状部材１７２と同様の構成を有するため、説明を省略する。
【００５２】
図８を参照すると、第１のパネル材１８０は、長手方向全長に渡って波型の鉛直断面を有する長手部材である。波型断面は、正面側に突出する２つの山部１８０ａ、１８０ｂと、背面側に突出する２つの谷部１８０ｃ、１８０ｄとを有する。２つの山部１８０ａ、１８０ｂは、同一平面上に設けられる平坦面を成し、２つの谷部１８０ｃ、１８０ｄの背面側頂部は同一平面上に設けられる。波型断面において、第１のパネル材１８０の頂端１８１は、谷部１８０ｃに含まれるとともに、その端部が正面側に向けてわずかに突出する。第１のパネル材１８０には、谷部１８０ｄと山部１８０ｂとの間から背面側に向けて突出する下部接続部１８２が設けられる。下部接続部１８２は、山部１８０ｂと平行かつ背面側に設けられる下部係合部１８２ａを備える。下部係合部１８２ａは、下部係合部１８２ａの正面から半球状に突出する係合球部１８２ｂと、下部係合部１８２ａの突出端から背面側にむけてわずかに突出する下部返し１８２ｃとを備える。
【００５３】
第２のパネル材１９０は、第３の採光ルーバーフェンス１０の幅方向に走る板状の第２の正面部材１９１と、第２の正面部材１９１の背面から直角に突出する第１の係合板１９２及び第２の係合板１９３とを備える。第１の係合板１９２の突出端部付近には、鉛直上方に突出する第１の返し１９２ａが設けられ、第２の係合板１９３の突出端部付近には、鉛直下方に突出する第２の返し１９３ａが設けられる。
【００５４】
第２の中骨１７０の頂端に、パネル取付部材１７３が設けられる。パネル取付部材１７３は鉛直断面においてコの字型を有し、パネル取付部材１７３の頂端には、正面に向けて直角に突出する第２のパネル受け部１７３ａが設けられ、底端付近には、正面に向けて直角に突出する底端パネル受け部１７３ｂが設けられる。第２のパネル受け部１７３ａの突出端部付近には、鉛直上方に突出する第１の返し１７３ｃが設けられ、底端パネル受け部１７３ｂの突出端部付近には、鉛直下方に突出する第２の返し１７３ｄが設けられる。パネル取付部材１７３は、ビス１７３ｅを用いて、上枠板状部材１１２と共に、第２の中骨１７０に固定される。第１の中骨１６０ａ及び第３の中骨１６０ｂの頂端にも、パネル取付部材１７３と同様の構成を有する部材が取り付けられる。この部材の構成については説明を省略する。
【００５５】
上枠１１０、下枠１２０、第１のパネル材１８０、及び第２のパネル材１９０は、第３の採光ルーバーフェンス１０の幅方向全長に渡って延び、右側カバー１３０、左側カバー１４０、第１の中骨１６０ａ、第２の中骨１７０、及び第３の中骨１６０ｂは、第３の採光ルーバーフェンス１０の高さ方向全長に渡って延びる。
【００５６】
上枠板状部材１１２は、第１の中骨１６０ａ、第２の中骨１７０、及び第３の中骨１６０ｂの頂端付近にビス１７３ｅを用いて固定され、これにより、上枠１１０が第１の中骨１６０ａ、第２の中骨１７０、及び第３の中骨１６０ｂに固定される。下枠板状部材１２２は、第１の中骨１６０ａ、第２の中骨１７０、及び第３の中骨１６０ｂの底端付近にビス１７４を用いて固定され、これにより、下枠１２０が第１の中骨１６０ａ、第２の中骨１７０、及び第３の中骨１６０ｂに固定される。
【００５７】
また、図７を参照すると、複数の第２の中骨１７０は、互いに水平方向に対して所定の間隔を空けて、また第１の中骨１６０ａ及び第３の中骨１６０ｂとの間に所定の間隔を開けて、上枠１１０及び下枠１２０に固定される。幅１９７０ｍｍの第３の採光ルーバーフェンス１０において、第２の中骨１７０は、例えば２本又は３本設けられる。
【００５８】
右側カバー側面１３１は、第１の中骨１６０ａの右側面に、鉛直方向に所定の間隔を開けて設けられる複数のビス１３３を用いて固定され、これにより、右側カバー１３０が第１の中骨１６０ａに固定される。同様に、左側カバー側面１４１は、第２の中骨１６０ｂの左側面に、鉛直方向に所定の間隔を開けて設けられる複数のビス１４３を用いて固定され、これにより、左側カバー１４０が第２の中骨１６０ｂに固定される。
【００５９】
図８を参照すると、固定部材を成す段付きビス１８３が第２の中骨管状部材１７１に取り付けられる。段付きビス１８３の軸部１８３ａは、雄ねじが切られたねじ部１８３ｂと、ねじ部１８３ｂよりも太い軸径を有し、雄ねじが切られていない大径部１８３ｃとを備える。大径部１８３ｃの軸方向長さは、第１のパネル材１８０の板厚よりも長い。軸部１８３ａには、座金１８４及び弾性体であるウレタンスポンジ１８５が取り付けられる。ウレタンスポンジ１８５は貫通孔を有し、この貫通孔に軸部１８３ａが挿入される。第２の中骨管状部材１７１に設けられた雌ねじ孔にねじ部１８３ｂを螺合させ、ねじ部１８３ｂの全長が雌ねじ孔と螺合すると、大径部１８３ｃが第２の中骨管状部材１７１と係合する。これにより、段付きビス１８３の頭部と第２の中骨管状部材１７１との間に間隔を開け、かつこの間隔に座金１８４及びウレタンスポンジ１８５を挟むようにして、段付きビス１８３が第２の中骨管状部材１７１に取り付けられる。
【００６０】
次に、図９を用いて、第１のパネル材１８０を第２の中骨１７０に固定する手法について説明する。
【００６１】
まず、（ａ）を参照すると、第２の中骨管状部材１７１の正面から、第１のパネル材１８０の頂端を、第２の上方受け部１７２ｂと第２の中骨管状部材１７１との間に挿入する。
【００６２】
次に、（ｂ）を参照すると、第１のパネル材１８０の頂端を、第２の上方受け部１７２ｂと第２の中骨管状部材１７１との間に十分に挿入した後、下部係合部１８２ａが第２の下方受け部１７２ａの頂面と係合することを避けながら、第１のパネル材１８０を第２の中骨管状部材１７１に向けて押し込む。
【００６３】
次に、（ｃ）を参照すると、第１のパネル材１８０が第２の中骨管状部材１７１に向けて完全に押し込まれる。
【００６４】
次に、（ｄ）を参照すると、下部係合部１８２ａが第２の下方受け部１７２ａと第２の中骨管状部材１７１との間の空間であって、重力方向下方に落とし込まれる。このとき、係合球部１８２ｂが第２の下方受け部１７２ａと係合し、下部返し１８２ｃが第２の中骨管状部材１７１の正面と係合する。これにより、下部係合部１８２ａは、正面の面外方向に対する移動が制限される。他方、正面の面内方向に対する移動は、係合球部１８２ｂと第２の下方受け部１７２ａとの係合による摩擦力、及び下部返し１８２ｃと第２の中骨管状部材１７１との係合による摩擦力によって、若干制限される。そして、段付きビス１８３及びウレタンスポンジ１８５が準備される。
【００６５】
次に、（ｅ）を参照すると、段付きビス１８３が第２の中骨管状部材１７１に取り付けられる。このとき、段付きビス１８３は、その頭部と第２の中骨管状部材１７１との間に間隔を開け、かつこの間隔に挟まれた座金１８４及びウレタンスポンジ１８５が、第１のパネル材１８０の頂端１８１を第２の中骨管状部材１７１に押さえつける。このとき、頂端１８１が正面に向けて突出しているため、正面の面外方向に対する移動が制限される。他方、正面の面内方向に対する移動は、ウレタンスポンジ１８５による摩擦力によって、若干制限される。
【００６６】
これにより、複数の第１のパネル材１８０が、第１の中骨１６０ａ、第２の中骨１７０、及び第３の中骨１６０ｂに保持又は固定される。
【００６７】
本実施形態によれば、第１の実施形態と同様の効果を得る。
【００６８】
なお、下部係合部１８２ａ及び第２の上方受け部１７２ｂにおいて第２の中骨管状部材１７１と対向する面にウレタンスポンジが設けられてもよい。
【００６９】
第１の実施形態における第１の採光ルーバーフェンス２０は、上枠２１０及び第２のパネル材２９０の代わりに、上枠１１０及び第２のパネル材１９０を用いてもよい。あるいは、第３の実施形態における第３の採光ルーバーフェンス１０は、上枠１１０及び第２のパネル材１９０の代わりに、上枠２１０及び第２のパネル材２９０を用いてもよい。
【００７０】
幅１９７０ｍｍの第１、第２、第３の採光ルーバーフェンス２０、３０、１０における、第２の中骨１７０、２７０の数は、２本又は３本に限定されず、第１のパネル材１８０、２８０及び第２のパネル材１９０、２９０の強度、第１の採光ルーバーフェンス１０、２０、３０が設置される場所の環境等の仕様に応じて適宜決定される。
【００７１】
また、第１、第２、第３の採光ルーバーフェンス１０、２０、３０の幅は１９７０ｍｍに限定されず、設計条件等に応じて適宜決定される。
【００７２】
いずれの実施形態においても、鉛直方向が第２及び第１の方向に対応し、第１の採光ルーバーフェンス１０の壁面と平行かつ水平である方向が第２の方向に対応するとしたが、第１から第１の方向はこれらの方向に限定されず、第２及び第１の方向は少なくとも第２の方向と交わればよく、第３の方向は第１の方向と交わってもよい。
【００７３】
なお、本明細書および図中に示した各部材の大きさ、形状。及び数量は例示であって、これらの大きさ、形状。及び数量に限定されない。また、各部材の素材は例示であって、これらの素材に限定されない。
【００７４】
ここに付随する図面を参照して本発明の実施形態が説明されたが、記載された発明の範囲と精神から逸脱することなく、変形が各部の構造と関係に施されることは、当業者にとって自明である。
【００７５】
本願発明は、以下の発明を含む。
［１］
第１の方向に沿って延びる第１の固定端及び第２の固定端を備え、前記第１の方向と交わる第２の方向に沿って延びるルーバーと、
前記第２の方向と交わる第３の方向に沿って延びる支持体と、
前記支持体の側面に設けられ、前記第１の方向に沿って対向するように開く少なくとも２つの開口を前記支持体の側面との間に形成する保持部材とを備え、
前記第１の固定端と前記第２の固定端は、少なくとも一部が前記支持体の側面に接触し、かつ前記２つの開口に各々保持されて、前記第２及び前記第３の方向と交わる方向への移動を制限される
ルーバー構造。
［２］
前記第２の固定端は、前記支持体の側面に対して所定の角度を成し、前記第１の固定端の端部は、前記第２及び前記第３の方向と交わる方向へ突出する突出端を有する発明１に記載のルーバー構造。これにより、第２の固定端を開口に容易に挿入できるとともに、第２及び前記第３の方向と交わる方向に対して第１の固定端を拘束できる。
［３］
前記保持部材は、前記支持体の側面に取り付けられる取付部と、前記支持体の側面から所定の間隔を開けて前記取付部から前記第１の方向に延びる係合部とを備え、前記支持体の側面と前記係合部との間に前記開口が形成され、
前記第１の固定端の端部は、前記第２及び前記第３の方向と交わる方向へ突出して前記係合部と係合する突出端を有する
発明１に記載のルーバー構造。
これにより、第２及び前記第３の方向と交わる方向に対して第１の固定端を拘束できる。
［４］
前記第１の固定端は前記第１の方向の正方向に延び、前記第２の固定端は前記第１の方向の負方向に延び、
前記保持部材は、前記支持体の側面に取り付けられる取付部と、前記支持体の側面から所定の間隔を開けて前記取付部から前記第１の方向の正方向に延びる正方向係合部と、前記支持体の側面から所定の間隔を開けて前記取付部から前記第１の方向の負方向に延びる負方向係合部とをさらに備え、前記支持体の側面と前記正方向係合部との間に正方向開口が形成され、前記支持体の側面と前記負方向係合部との間に負方向開口が形成される
発明１に記載のルーバー構造。
これにより、ルーバーを支持体に確実に固定できるとともに、軽量かつ意匠性が高いルーバー構造を得る。
［５］
前記第２の固定端は、前記支持体の側面に対して所定の角度を成し、
前記ルーバーは板状部材であって、前記第２の固定端は、前記板状部材において、前記支持体と対向する側面から突出する発明１から４のいずれかに記載のルーバー構造。
これにより、第２の固定端を開口に容易に挿入できる。
［６］
前記第２の方向に沿って所定の間隔を開けて並べられる複数の前記支持体を備える発明１から５のいずれかに記載のルーバー構造。これにより、ルーバーを確実に固定できる。
［７］
前記ルーバーは板状部材であって、前記板状部材において前記第２の方向に沿って延びる端部を前記支持体の側面に固定する固定部材をさらに備え、前記固定部材は、前記ルーバーの面外方向に対する移動を規制する発明１から６のいずれかに記載のルーバー構造。これにより、ルーバーを支持体に確実に固定できる。
［８］
前記固定部材は、雄ねじが切られたねじ部と雄ねじが切られていない大径部とを備える段付きビスであって、前記大径部の軸方向長さは、前記ルーバーの厚さよりも長い発明７に記載のルーバー構造。これにより、ルーバーを支持体に容易かつ確実に固定できる。
［９］
前記第１の固定端又は前記第２の固定端と前記保持部材との間に設けられる弾性体をさらに備える発明１から８のいずれかに記載のルーバー構造。これにより、ルーバーを支持体に確実に固定できるとともに、ルーバーが開口内で移動することを防止できる。
【符号の説明】
【００７６】
２０  第１の採光ルーバーフェンス
３０  第２の採光ルーバーフェンス
１０  第３の採光ルーバーフェンス
２１０  上枠
２１１  上枠管状部材
２１２  上枠板状部材
２２０  下枠
２２１  下枠管状部材
２２２  下枠板状部材
１３０  右側カバー
１４０  左側カバー
１４３  ビス
２６０ａ  第１の中骨
２６０ｂ  第３の中骨
２７０  第２の中骨
２７２  押さえ金具
２８０  第１のパネル材
２９０  第２のパネル材
【図１】
2020002619.tif 000003
【図２】
2020002619.tif 000004
【図３】
2020002619.tif 000005
【図４】
2020002619.tif 000006
【図５】
2020002619.tif 000007
【図６】
2020002619.tif 000008
【図７】
2020002619.tif 000009
【図８】
2020002619.tif 000010
【図９】
2020002619.tif 000011